(57)【要約】【課題】開閉体の制御に不具合が生じるのを抑制できる開閉装置を提供する。【解決手段】開閉装置１は、被閉鎖部３を開閉する開閉体２３を備える。開閉装置１は、被閉鎖部３の開口時に開閉体２３を収容する収容ケース体８を備える。この収容ケース体８内には開閉体２３を制御する電気部品３１を配置する。この電気部品３１の周囲の空気を換気してこの電気部品３１を冷却する部品冷却用換気口３２を収容ケース体８の底板部１４に形成する。【選択図】　　　　図１
2004027656.tif 000002
【特許請求の範囲】
【請求項１】
被閉鎖部を開閉する開閉体と、
前記被閉鎖部の開口時に前記開閉体が収容される収容ケース体と、
この収容ケース体内に配置され、前記開閉体を制御する電気部品と、
前記収容ケース体に形成され、前記電気部品の周囲の空気を換気する部品冷却用換気口と
を備えることを特徴とする開閉装置。
【請求項２】
被閉鎖部を開閉する開閉体と、
前記被閉鎖部の開口時に前記開閉体が収容される開閉体収容室と部品収容室とが区画形成された収容ケース体と、
この収容ケース体の前記部品収容室内に配置され、前記開閉体を制御する電気部品と、
前記収容ケース体の下部における前記部品収容室に臨んだ部分に形成され、前記部品収容室内の空気を換気する部品冷却用換気口と
を備えることを特徴とする開閉装置。
【請求項３】
部品冷却用換気口は複数の小孔にて構成され、これら複数の小孔のうちの一部の小孔が給気孔として作用し、残りの小孔が排気孔として作用する
ことを特徴とする請求項１または２記載の開閉装置。
【請求項４】
電気部品に水が付着するのを防止する防水カバー体を備える
ことを特徴とする請求項１ないし３のいずれか一記載の開閉装置。
【発明の詳細な説明】
【０００１】
【発明の属する技術分野】
本発明は、開閉体の制御に不具合が生じるのを抑制できる開閉装置に関する。
【０００２】
【従来の技術】
従来の開閉装置は、例えば被閉鎖部を開閉する開閉体と、被閉鎖部の開口時に開閉体が収容される収容ケース体と、この収容ケース体内に位置して開閉体を制御する電気部品とを備えた構成となっている。
【０００３】
【発明が解決しようとする課題】
しかしながら、上記従来の開閉装置では、例えば日射により収容ケース体内が熱くなり、この収容ケース体内の電気部品が高温となりやすいため、開閉体の制御に不具合が生じるおそれがある。
【０００４】
本発明は、このような点に鑑みなされたもので、電気部品の高温化により開閉体の制御に不具合が生じるのを抑制できる開閉装置を提供することを目的とする。
【０００５】
【課題を解決するための手段】
請求項１記載の開閉装置は、被閉鎖部を開閉する開閉体と、前記被閉鎖部の開口時に前記開閉体が収容される収容ケース体と、この収容ケース体内に配置され、前記開閉体を制御する電気部品と、前記収容ケース体に形成され、前記電気部品の周囲の空気を換気する部品冷却用換気口とを備えるものである。
【０００６】
そして、収容ケース体に形成された部品冷却用換気口によって、電気部品の周囲の空気を換気して電気部品を冷却することができるので、電気部品の高温化により開閉体の制御に不具合が生じることが抑制される。
【０００７】
請求項２記載の開閉装置は、被閉鎖部を開閉する開閉体と、前記被閉鎖部の開口時に前記開閉体が収容される開閉体収容室と部品収容室とが区画形成された収容ケース体と、この収容ケース体の前記部品収容室内に配置され、前記開閉体を制御する電気部品と、前記収容ケース体の下部における前記部品収容室に臨んだ部分に形成され、前記部品収容室内の空気を換気する部品冷却用換気口とを備えるものである。
【０００８】
そして、収容ケース体の下部における部品収容室に臨んだ部分に形成された部品冷却用換気口によって、電気部品の周囲の空気を換気して電気部品を冷却することができるので、電気部品の高温化により開閉体の制御に不具合が生じることが抑制される。
【０００９】
請求項３記載の開閉装置は、請求項１または２記載の開閉装置において、部品冷却用換気口は複数の小孔にて構成され、これら複数の小孔のうちの一部の小孔が給気孔として作用し、残りの小孔が排気孔として作用するものである。
【００１０】
そして、部品冷却用換気口を構成する複数の小孔のうちの一部の小孔が給気孔として作用し、残りの小孔が排気孔として作用するので、効率よく換気され、電気部品の高温化が効果的に防止される。
【００１１】
請求項４記載の開閉装置は、請求項１ないし３のいずれか一記載の開閉装置において、電気部品に水が付着するのを防止する防水カバー体を備えるものである。
【００１２】
そして、防水カバー体にて電気部品に水が付着することが適切に防止される。
【００１３】
【発明の実施の形態】
以下、本発明の開閉装置の一実施の形態の構成を図面を参照して説明する。
【００１４】
図１ないし図５において、１は開閉装置で、この開閉装置１は、例えば建物２に設けられた窓開口等の開口部である被閉鎖部３の外側である室外側を開閉するワイドオープンサッシ仕様の窓シャッタ装置等である。
【００１５】
なお、建物２の被閉鎖部３の内側である室内側を開閉する左右一対のサッシ障子５は、図４および図５から明らかなように、例えば観音開き式のもので、被閉鎖部３に沿った略平板状の閉状態と、略く字状に折り畳まれて屈曲部分５ａが室外側に突出した開状態とに切換え可能となっている。
【００１６】
そして、この開閉装置１は、図４および図５に示すように、上下方向に細長状の左右一対のガイドレール６を備え、この両ガイドレール６は、被閉鎖部３を介して互いに離間対向した状態に配置されている。
【００１７】
また、両ガイドレール６の下端部間には、左右方向に細長状の下枠７が配置されている。また、両ガイドレール６の上端部間には、左右方向に細長状で略箱形状のシャッタボックス等の収容ケース体８が下枠７と離間対向した状態で配置されている。
【００１８】
そして、この収容ケース体８は、図１ないし図３に示すように、例えば前板部１１、後板部１２、左右の側板部１３、底板部１４および天板部１５にて構成されている。
【００１９】
また、この収容ケース体８の内部空間は、底板部１４に取り付けられ下面のみを開口した略箱形状の仕切り体１６にて、２つの大小の室、つまり大きい開閉体収容室１９と小さい部品収容室２０とに仕切られている。すなわち、この収容ケース体８には、開閉体収容室１９とこの開閉体収容室１９とは別室の部品収容室２０とが区画形成されている。
【００２０】
そして、これら２つの開閉体収容室１９および部品収容室２０は、互いに独立した室で、開閉体収容室１９および部品収容室２０間での空気の行き来はほとんどない。また、開閉体収容室１９と部品収容室２０とを仕切る仕切り体１６は、例えば矩形状の上板部１７とこの上板部１７の周縁から下方に向って突出した筒状の脚板部１８とにて構成されている。この仕切り体１６は、収容ケース体８内の前側下部の一側、すなわち例えば前側下部の正面視つまり外観視左側に配置されている。
【００２１】
ここで、収容ケース体８の開閉体収容室１９内には、左右方向に細長状の巻体２１が回転可能に配置され、この巻体２１には被閉鎖部３の室外側を開閉するシャッタカーテン等の開閉体２３が巻取りおよび巻戻し可能に取り付けられている。この開閉体２３は、例えばスラット２４および座板２５等にて構成されたシャッタカーテン等である。また、図３から明らかなように、収容ケース体８の底板部１４における開閉体収容室１９に臨んだ部分には、底板部１４の長手方向にスリット状の開閉体通し用開口２７が底板部１４の一端から他端にわたって形成されている。
【００２２】
そして、被閉鎖部３の閉鎖時には、開閉体２３は、底板部１４の開閉体通し用開口２７に挿通された状態で、巻体２１から巻き戻されて両ガイドレール６にて案内されつつ下降し、被閉鎖部３に沿った略平板状の閉状態となって被閉鎖部３の室外側を閉鎖する。
【００２３】
また、被閉鎖部３の開口時には、開閉体２３は、底板部１４の開閉体通し用開口２７に挿通された状態で、巻体２１にて巻き取られて両ガイドレール６にて案内されつつ上昇し、略円筒状の開状態となって開閉体収容室１９内に収容されて被閉鎖部３の室外側を開口させる。
【００２４】
なお、図２および図３に示されるように、開閉体収容室１９内には、開閉体２３を制御する１ユニット状の開閉機２８が仕切り体１６の側方に位置している。すなわち、この開閉機２８は、収容ケース体８内の前側下部の他側、すなわち例えば前側下部の外観視右側に配置されている。この開閉機２８は例えばモータ部および制御部等にて構成されている。
【００２５】
また一方、収容ケース体８の部品収容室２０内には、開閉体２３を制御する１ユニット状の電気部品３１が底板部１４の上方近傍に位置するように配置されている。この電気部品３１は、例えば高温環境に弱い電子部品を構成する光電センサのアンプ部である。
【００２６】
そして、この高温環境に弱い電気部品３１の周囲の空気、すなわち例えば部品収容室２０内の空気を自然循環により換気して電気部品３１を冷却する部品冷却用換気口３２が、収容ケース体８の下部である底板部１４における部品収容室２０に臨んだ部分に形成されている。そして、この部品収容室２０が、部品冷却用換気口３２を介して収容ケース体８外の空間である外部空間に連通されている。すなわち、電気部品３１を収容した部品収容室２０は、下方に向って開口している。
【００２７】
ここで、底板部１４の部品冷却用換気口３２は、複数、例えば左右２個ずつで計４個の略楕円状の孔部である小孔３４Ｌ，３４Ｒにて構成されている。そして、例えば図２および図３から明らかなように、複数の小孔３４Ｌ，３４Ｒのうちの一部の小孔３４Ｌ、例えば左側の前後２個の小孔３４Ｌが、外部空間の空気（例えば外気）を部品収容室２０内に供給するための給気孔として作用し、残りの小孔３４Ｒ、例えば右側の前後２個の小孔３４Ｒが、電気部品３１の周囲の空気を部品収容室２０内から排気するための排気孔として作用する。
【００２８】
また、例えば雨天時に部品冷却用換気口３２から部品収容室２０内に入った水或いは結露により生じた水等は、仕切り体１６に取り付けられ部品収容室２０内に位置する防水カバー体３６に付着し、電気部品３１には付着しない。
【００２９】
この防水カバー体３６は、例えば仕切り体１６の上板部１７の下面に取り付けられた矩形状の取付板部３７を有している。また、この取付板部３７の長手方向両端からは左右一対の矩形状の突出板部３８が下方に向って底板部１４近傍まで垂直状に突出し、この取付板部３８の中央側には電気部品３１が取り付けられている。そして、電気部品３１と部品冷却用換気口３２との間に防水カバー体３６の突出板部３８が位置し、この突出板部３８にて部品冷却用換気口３２から入った水が電気部品３１に付着することが防止される。
【００３０】
なお、開閉機２８と光電センサのアンプ部である電気部品３１とは、電気的に接続されている。また、この光電センサのアンプ部である電気部品３１には、光電センサの受光部４１および投光部４２がそれぞれ電気的に接続されている。この受光部４１および投光部４２は、ガイドレール６の上端部に取り付けられている。また、開閉機２８には、図示しないが、操作スイッチボックスおよびロック装置等が電気的に接続されている。
【００３１】
次に、上記一実施の形態の動作等を説明する。
【００３２】
図４に示すように、サッシ障子５が略平板状の閉状態となって被閉鎖部３の室内側が閉塞された状態で、操作スイッチボックスの閉動作用スイッチがオンされた場合には、光電センサの投光部４２からの検知光が光電センサの受光部４１にて受光され、開閉機２８のモータ部が駆動する。
【００３３】
そして、開閉機２８のモータ部が駆動すると、開閉体２３が巻体２１の巻戻しにより開閉体通し用開口２７を通過しながら下降して略平板状の閉状態となり、この閉状態の開閉体２３にて被閉鎖部３の室外側が閉鎖される。
【００３４】
一方、図５に示すように、サッシ障子５が略く字状の開状態となって被閉鎖部３の室内側が開口した状態で、操作スイッチボックスの閉動作用スイッチがオンされた場合には、光電センサの投光部４２からの検知光がサッシ障子５にて遮られるため、その検知光が受光部４１にて受光されず、開閉機２８のモータ部が駆動しない。このため、開閉体２３は、開状態として収容ケース体８の開閉体収容室１９内に収容されたままで、開閉体２３とサッシ障子５との衝突が回避される。
【００３５】
また、被閉鎖部３の室外側が閉状態の開閉体２３にて閉鎖された状態で、操作スイッチボックスの開動作用スイッチがオンされた場合には、開閉機２８のモータ部が駆動する。
【００３６】
そして、開閉機２８のモータ部が駆動すると、開閉体２３が巻体２１の巻取りにより開閉体通し用開口２７を通過しながら上昇して略円筒状の開状態となり、被閉鎖部３の室外側が開口する。
【００３７】
また一方、高温環境に弱い電気部品３１の周囲の空気は、部品冷却用換気口３２を通って自然循環により換気される。すなわち、例えば図２および図３に示されるように、外部空間内の比較的温度の低い空気が、左側の小孔３４Ｌから部品収容室２０内に供給されるとともに、部品収容室２０内の比較的温度の高い空気が、右側の小孔３４Ｒから部品収容室２０外に排出される。
【００３８】
そして、こうした外部空間の風力等に基づく自然的な換気により、部品収容室２０内の温度が下がり、部品収容室２０内の電気部品３１が冷却される。その結果、電気部品３１は保証温度範囲（例えば５５℃以内）に維持され、電気部品３１の高温化が防止される。
【００３９】
また、例えば雨天時における雨水の吹き上げ等により、水が部品冷却用換気口３２から部品収容室２０内に入ったとしても、その水は、部品収容室２０内の防水カバー体３６の突出板部３８に付着するため、電気部品３１に付着するようなことはない。
【００４０】
なお、収容ケース体８の天板部１５が例えば直射日光を浴びるため、収容ケース体８の開閉体収容室１９内の温度は上がりやすいが、開閉体収容室１９と部品収容室２０とは区画されているため、開閉体収容室１９内の比較的温度の高い空気が、部品収容室２０内に流れ込むようなことはない。
【００４１】
このようにして、上記一実施の形態によれば、収容ケース体８の底板部１４の電気部品３１との対応位置に、電気部品３１の周囲の空気を自然換気してこの電気部品３１を冷却する部品冷却用換気口３２を開口形成したため、この部品冷却用換気口３２によって、部品収容室２０内の空気を換気して電気部品３１を冷却することができるので、電気部品３１の高温化により開閉体２３の制御に不具合が生じることを適切に抑制できる。
【００４２】
また、部品冷却用換気口３２を複数の小孔３４Ｌ，３４Ｒで構成し、この複数の小孔３４Ｌ，３４Ｒのうちの一部を給気孔として作用させかつ残部を排気孔として作用させることができるので、効率よく換気でき、電気部品３１の高温化を効果的に防止できる。
【００４３】
さらに、部品収容室２０内に電気部品３１の両側方を覆うように配置された防水カバー体３６の突出板部３８によって、部品冷却用換気口３２から部品収容室２０内に入った水が電気部品３１に付着することを適切に防止できるので、電気部品３１への水付着により開閉体２３の制御に不具合が生じることを適切に抑制できる。
【００４４】
なお、開閉装置１は、電気部品３１の周囲の空気を部品冷却用換気口３２を介して自然循環により換気する構成には限定されず、例えば、太陽発電による電力で駆動するファンを備え、このファンの駆動により電気部品３１の周囲の空気を部品冷却用換気口３２を介して強制的に循環させて換気する構成等でもよい。
【００４５】
また、開閉装置１は、部品冷却用換気口３２を収容ケース体８の底板部１４に形成した構成には限定されず、例えば、部品冷却用換気口３２を収容ケース体８の天板部１５、後板部１２或いは側板部１３等に形成した構成でもよい。
【００４６】
さらに、部品冷却用換気口３２は、前後に近接して並んだ左右２個ずつで計４つの小孔３４Ｌ，３４Ｒで構成されたものには限定されず、例えば、左右に近接して並んだ左右２個ずつで計４つの小孔にて構成されたもの、または１つの孔部で構成されたもの、或いは５つ以上の孔部で構成されたもの等でもよい。なお、孔部の形状は、真円形、矩形等のいかなる形状でもよく、また、孔部は、切り起し或いは切り欠き等によるものでもよく、また、孔部の位置は、電気部品３１により近い位置が好ましいが、いかなる位置でもよい。
【００４７】
また、電気部品３１は、例えば光電センサのアンプ部以外に、例えば開閉体２３を制御する電動モータ等或いは制御手段等でもよい。
【００４８】
さらに、開閉装置１は、窓シャッタ装置には限定されず、例えば、窓シャッタ装置以外のシャッタ装置や、雨戸、引戸等のドア装置、ブラインド装置、スクリーン装置等或いはこれら装置のうちの同種または異種を複数並設したものでもよい。
【００４９】
また、開閉体２３をシャッタカーテンとした場合は、複数のスラット２４等を用いる構成には限定されず、パネル、パイプ、シート、ネット等を用いる構成や、これらを適宜組み合わせた構成、１枚のシート部材や１枚の板状部材にて形成した構成等でもよい。
【００５０】
【発明の効果】
請求項１の発明によれば、収容ケース体に形成された部品冷却用換気口によって、電気部品の周囲の空気を換気して電気部品を冷却することができるので、電気部品の高温化により開閉体の制御に不具合が生じるのを抑制できる。
【００５１】
請求項２の発明によれば、収容ケース体の下部における部品収容室に臨んだ部分に形成された部品冷却用換気口によって、電気部品の周囲の空気を換気して電気部品を冷却することができるので、電気部品の高温化により開閉体の制御に不具合が生じるのを抑制できる。
【００５２】
請求項３の発明によれば、部品冷却用換気口を構成する複数の小孔のうちの一部の小孔が給気孔として作用し、残りの小孔が排気孔として作用するので、効率よく換気でき、電気部品の高温化を効果的に防止できる。
【００５３】
請求項４の発明によれば、防水カバー体にて電気部品に水が付着するのを適切に防止できる。
【図面の簡単な説明】
【図１】本発明の開閉装置の一実施の形態を示す縦断面図である。
【図２】同上開閉装置の正面図である。
【図３】同上開閉装置の下面図である。
【図４】同上開閉装置の全体斜視図である。
【図５】同上開閉装置の全体斜視図である。
【符号の説明】
１　　開閉装置
３　　被閉鎖部
８　　収容ケース体
１９　　開閉体収容室
２０　　部品収容室
２３　　開閉体
３１　　電気部品
３２　　部品冷却用換気口
３４Ｌ，３４Ｒ　　小孔
３６　　防水カバー体
【図１】
2004027656.tif 000003
【図２】
2004027656.tif 000004
【図３】
2004027656.tif 000005
【図４】
2004027656.tif 000006
【図５】
2004027656.tif 000007